(57)【特許請求の範囲】
【請求項１】
底部中央部に上方へ突き出た凹部が形成される内容器と、前記凹部に設けられる加熱手段を有する電気ポットにおいて、
前記加熱手段は、少なくともリング状の第１絶縁板、ヒーターが巻かれたリング状の加熱板、リング状の第２絶縁板及びリング状のアルミ板を前記内容器の底部から下方に向かって積み重ねてなり、
前記第２絶縁板の内径は前記アルミ板の内径より小さく、
前記第１絶縁板と前記加熱板と前記アルミ板の内径はほぼ同じであることを特徴とする電気ポット。
【請求項２】
底部中央部に上方へ突き出た凹部が形成される内容器と、前記凹部に設けられる加熱手段を有する電気ポットにおいて、
前記加熱手段は、少なくともリング状の第１絶縁板、ヒーターが巻かれたリング状の加熱板、リング状の第２絶縁板及びリング状のアルミ板を前記内容器の底部から下方に向かって積み重ねてなり、
前記第２絶縁板の内径は前記アルミ板の内径より小さく、
前記第１絶縁板と前記加熱板と前記アルミ板との内径はほぼ同じであり、
前記第１絶縁板と前記加熱板との外径はほぼ同じであることを特徴とする電気ポット。
【請求項３】
底部中央部に上方へ突き出た凹部が形成される内容器と、前記凹部に設けられる加熱手段を有する電気ポットにおいて、
前記加熱手段は、少なくともリング状の鋼板、リング状の第１絶縁板、ヒーターが巻かれたリング状の加熱板、リング状の第２絶縁板及びリング状のアルミ板を前記内容器の底部から下方に向かって積み重ねてなり、
前記第２絶縁板の内径は前記アルミ板の内径より小さく、
前記鋼板は切り起こし片を有し、
前記第２絶縁板は穴を有し、
前記切り起こし片を前記穴に挿通することを特徴とする電気ポット。
【発明の詳細な説明】
【技術分野】
【０００１】
本願発明は、内容器の底部に加熱手段を内設した電気ポットに関するものである。
【背景技術】
【０００２】
従来の電気ポットは、容器本体内に水が蓄えられる内容器を有し、この内容器内の水を内容器底部の上方に突き出た凹部内に収納配置されるヒータ等の加熱手段によって加熱し、加熱沸騰したお湯を電動ポンプ、或いは蓋体に設けられる手動ポンプにより給湯通路を介して給湯口より取り出すもので、使い勝手の良い器具の一つとして広く普及している。
【０００３】
ところで、内容器の底部に形成される上方に突き出た凹部に設けられる加熱手段は、絶縁板にヒーターを巻装した加熱板の上下をマイカ等の絶縁板で挟み、更に下方の絶縁板の下側にアルミ板を設けている（例えば、特許文献１参照）。
【０００４】
このような積層構造からなる加熱手段の一例を図４に示す。符号１は電気ポット内に設けられる内容器であり、内容器１の底部中央部は内側に突き出た筒状の凹部２を有し、この凹部２にはリング状の加熱手段３が収納配置され、更に加熱手段３の中央部には温度センサー４が設けられる。そして、加熱手段３は、この加熱手段３の下方に設けられ、内容器１にビス等により取り付けられる遮熱部材５に板ばね６を介して内容器１の底部との間に狭持される。
【０００５】
加熱手段３は、リング状の第１鋼板３ａ、マイカ等のリング状の第１絶縁板３ｂ、ヒーターを巻装したリング状の加熱板３ｃ、マイカ等のリング状の第２絶縁板３ｄ、リング状のアルミ板３ｅ及びリング状の第２鋼板３ｆを上方から順次積層し、全体をユニット化したものであり、アルミ板３ｅはその外周端が内容器に当接し、更に第１鋼板３ａが内容器１の底面に当接する形態で取り付けられ、加熱板３ｃからの熱を内容器１に伝えるとともに、下方に逃げる熱をアルミ板３ｅを介して内容器１に戻す。
【０００６】
ところで、加熱手段３は制御装置により適正制御されるが、例えば空焚き、センサ異常或いは接点異常等が生じると加熱手段３が異常発熱することがある。アルミ板３ｅは溶け易いため加熱手段３が異常発熱すると溶ける。アルミ板３ｅの外周側は元々内周側に比べて温度が低く、内容器に当接していることもあり加熱手段３が異常発熱してもすぐには溶けないが、アルミ板３ｅの内周側は元々温度が高いこともあり、加熱手段３が異常発熱すると溶け出す恐れが高い。そのため、加熱手段３の異常発熱時にアルミ板３ｅの内周側が溶けると、溶けたアルミが加熱板３ｃ側に回り込み加熱板３ｃに至り加熱板３ｃが絶縁不良になったり発火する等の弊害が生じる。
【特許文献１】特開平３−１４９７９４号公報
【発明の開示】
【発明が解決しようとする課題】
【０００７】
本願発明は、上記欠点を解消するもので、加熱手段のアルミ板の内径を小さくすることにより、例え加熱手段が異常発熱しアルミ板の内周側が溶け出したとしても、絶縁不良になったり発火する等の弊害をなくす電気ポットを提供することを目的とするものである。
【課題を解決するための手段】
【０００８】
上記目的を達成するため、本願発明は以下の構成を採用する。
【０００９】
請求項１に係る発明では、底部中央部に上方へ突き出た凹部が形成される内容器と、前記凹部に設けられる加熱手段を有する電気ポットにおいて、前記加熱手段は、少なくともリング状の第１絶縁板、ヒーターが巻かれたリング状の加熱板、リング状の第２絶縁板及びリング状のアルミ板を前記内容器の底部から下方に向かって積み重ねてなり、前記第２絶縁板の内径は前記アルミ板の内径より小さく、前記第１絶縁板と前記加熱板と前記アルミ板の内径はほぼ同じである構成。そしてこの構成により、例え加熱手段が異常発熱しアルミ板が溶け出したとしても溶け出したアルミが加熱板方向に回り込むのを阻止し、加熱板の絶縁不良及び発火等の弊害をなくす。
【００１０】
請求項２に係る発明では、底部中央部に上方へ突き出た凹部が形成される内容器と、前記凹部に設けられる加熱手段を有する電気ポットにおいて、前記加熱手段は、少なくともリング状の第１絶縁板、ヒーターが巻かれたリング状の加熱板、リング状の第２絶縁板及びリング状のアルミ板を前記内容器の底部から下方に向かって積み重ねてなり、前記第２絶縁板の内径は前記アルミ板の内径より小さく、前記第１絶縁板と前記加熱板と前記アルミ板との内径はほぼ同じであり、前記第１絶縁板と前記加熱板との外径はほぼ同じである構成。
【００１１】
請求項３に係る発明では、底部中央部に上方へ突き出た凹部が形成される内容器と、前記凹部に設けられる加熱手段を有する電気ポットにおいて、前記加熱手段は、少なくともリング状の鋼板、リング状の第１絶縁板、ヒーターが巻かれたリング状の加熱板、リング状の第２絶縁板及びリング状のアルミ板を前記内容器の底部から下方に向かって積み重ねてなり、前記第２絶縁板の内径は前記アルミ板の内径より小さく、前記鋼板は切り起こし片を有し、前記第２絶縁板は穴を有し、前記切り起こし片を前記穴に挿通する構成。
【発明の効果】
【００１３】
請求項１に係る発明では、少なくともリング状の第１絶縁板と、ヒーターが巻かれたリング状の加熱板と、リング状の第２絶縁板と、リング状のアルミ板とを内容器の底部から下方に向かって積み重ねてユニット状に加熱手段を形成するとともに、第２絶縁板の内径をアルミ板の内径より小さくすることにより、例え加熱手段が異常発熱しアルミ板が溶け出したとしても溶け出したアルミが加熱板方向に回り込むのを阻止することができ、加熱板の絶縁不良及び発火等の弊害をなくすことができる。更にアルミ板による熱の有効利用を高めるとともに、電気ポットの信頼性並びに安全性を高めることができる。
【００１４】
請求項２に係る発明では、第２絶縁板の内径をアルミ板の内径より小さくし、第１絶縁板と加熱板とアルミ板との内径をほぼ同じにし、第１絶縁板と加熱板との外径をほぼ同じでにすることにより、請求項１と同様の効果を奏することができる。
【００１５】
請求項３に係る発明では、第２絶縁板の内径をアルミ板の内径より小さくし、鋼板に切り起こし片を設け、第２絶縁板に穴を設け、切り起こし片を穴に挿通することにより、全体を一体化することができる。
【実施例】
【００１７】
以下、添付の図面を参照して、本願発明の好適な実施の形態について述べる。
【００１８】
図１に本願発明の電気ポットを示し、図２に図１のＡ部拡大図を示し、図３に加熱手段の各部材を上下に離して並べた斜視図を示す。電気ポット１０は、貯湯用の内容器１６を備えた容器本体１１と、該容器本体１１を開閉する蓋体１２と、前記内容器１６を加熱する加熱手段３５と、前記内容器１６内の湯を給湯口１３より給湯するための図示しない給湯通路と、該給湯通路を介して湯を送り出す電動ポンプ１４を備えて構成される。
【００１９】
前記容器本体１１は、外周面を構成する合成樹脂製の外ケース１５と、内周面を構成する前記内容器１６と、前記外ケース１５と内容器１６とを結合する合成樹脂製の環状の肩部材１７と、底面を構成する合成樹脂製の底板１８等を有する。
【００２０】
前記蓋体１２は、合成樹脂製の上板２０と該上板２０に対して外周縁が結合された合成樹脂製の下板２１とからなり、前記肩部材１７の後部に設けられたヒンジ受け２２に対して開閉自在且つ着脱自在に支持される。また蓋体１２の下板２１には蒸気排出口２３が、上板２０には蒸気口２４が設けられるとともに、上板２０と下板２１との間には、蒸気排出通路２５が形成される。また、蒸気排出通路２５内には、電気ポットが転倒した際上部に押し上げられ前記蒸気排出通路２５を塞ぎ、蒸気口２４からお湯が排出されないようにするための金属製の転倒止水弁２６が設けられる。
【００２１】
前記内容器１６の底部中央部には、上方に突出した筒状の凹部３０が形成され、該凹部３０の中央部にはセンサーリング３１が設けられるとともに、センサーリング３１の外周部と凹部３０の周面との間にはリング状の加熱手段３５が設けられる。
【００２２】
前記センサーリング３１は、ガラス繊維を編んだ編組チューブであり、その内部には凹部３０の底面に当接する形態で温度センサー３２が収納配置される。センサーリング３１は、凹部３０の下方に該凹部３０に平行に設けられるとともに、内容器の底部に図示しないビス等により取り付けられる遮熱部材３３により凹部３０の底面との間に狭持される。また加熱手段３５も板ばね３４を介して遮熱部材３３により凹部３０の底面との間に狭持される。
【００２３】
加熱手段３５は、リング状の第１鋼板３６、マイカ等のリング状の第１絶縁板３７、ヒーターを巻装したリング状の加熱板３８、マイカ等のリング状の第２絶縁板３９、リング状のアルミ板４０及びリング状の第２鋼板４１の６層を上方から順次積層し、全体をユニット化したものである。全体のユニット化は次のように行われる。即ち、前記リング状の第１鋼板３６の内周面には、加熱手段３５の厚みより長く細長い複数個、例えば４個の切り起こし片３６ａが略等間隔に形成されており、この切り起こし片３６ａを図２に示すように第２鋼板４１の下面にまでコ字状に折り曲げることにより、全体を一体にしユニット化している。この場合後記するように第２絶縁板３９の内径は他の板より小さいため、第２絶縁板３９には穴を設けて前記切り起こし片３６ａを挿通している。
【００２４】
前記第１鋼板３６、第１絶縁板３７、加熱板３８、第２絶縁板３９、アルミ板４０及び第２鋼板４１の６層は、第２絶縁板３９を除いてそれぞれの内径はほぼ同じであり、また、前記第１絶縁板３７及び加熱板３８は、それぞれの外径もほぼ同じである。
【００２５】
前記第１鋼板３６は、上記したようにその内周面に４個の切り起こし片３６ａを有するとともに、その外径は第１絶縁板３７、加熱板３８及び第２絶縁板３９の外径より大でその外周面に折曲部３６ｂを有し、折曲部３６ｂは、第１絶縁板３７、加熱板３８及び第２絶縁板３９の外周面に沿って下方に折り曲げられ第１絶縁板３７、加熱板３８及び第２絶縁板３９の外周面を狭持する。
【００２６】
前記第２絶縁板３９は、上記したように外径は第１絶縁板３７及び加熱板３８と同じであるが、その内径は第１鋼板３６、第１絶縁板３７、加熱板３８、アルミ板４０及び第２鋼板４１よりも小さくされ、その内周面部に延出部３９ａを有する。延出部３９ａの最も好ましい内径は前記センサーリング３１の外径とほぼ同じ大きさであり、加熱手段３５の設置後においては延出部３９ａの内周面はセンサーリング３１の外周面に当接する。即ち、第２絶縁板３９の内径をセンサーリング３１の外径まで張り出す。そして、凹部３０の下面と、第１鋼板３６、第１絶縁板３７及び加熱板３８の内周面と、延出部３９ａの上面と、センサーリング３１の外周面との間に断熱空間４２を形成する。この断熱空間４２は、下方への熱の逃げを防止する。
【００２７】
前記アルミ板４０は、上記したように内径は加熱板３８等と同じであるが、その外径は第１絶縁板３７、加熱板３８及び第２絶縁板３９より長くされ、その外周面に下方に折り曲げられる形態でＬ字部４０ａを有し、加熱手段３５の設置後においては、Ｌ字部４０ａの外周面は凹部３０の内周面に面接触で当接する。そして、アルミ板４０に蓄積される熱を内容器１６に早期且つ効率的に逃がす。
【００２８】
前記第２鋼板４１は、上記したように内径は加熱板３８等と同じであるが、その外径は第１絶縁板３７、加熱板３８及び第２絶縁板３９より長くされ、その外周面にクランク状の受部４１ａを有し、前記アルミ板４０外周部のＬ字部４０ａを支持する。その結果、上記した第１鋼板３６内周面の切り起こし片３６ａと、第１鋼板３６外周面の折曲部３６ｂと、第２鋼板４１外周面の受部４１ａとで６層を一体化し、ユニット化する。
【００２９】
上記したように、第２絶縁板３９の内径はセンサーリング３１の外径まで張り出しているため、例え異常加熱でアルミ板４０が溶け出したとしても溶けたアルミが加熱板３８に流れ込み絶縁不良を引き起こしたり、発火する等の弊害がなくなる。また、第２絶縁板３９の延出部３９ａによりヒーターからの熱を遮断することができるため、温度センサー３２及び底部電装品の温度上昇を防ぐことができる。
【００３０】
本願発明は、上記実施の態様の構成に限定されるものではなく、発明の要旨を逸脱しない範囲において適宜設計変更可能であり、電気ポット以外の加熱容器にも適用可能である。
【図面の簡単な説明】
【００３１】
【図１】本願発明の電気ポットの全体断面図
【図２】図１のＡ部拡大断面図
【図３】加熱手段の各部材を上下に離して並べた斜視図
【図４】従来の電気ポットの加熱手段の拡大断面図
【符号の説明】
【００３２】
１０・・・電気ポット        １１・・・容器本体
１２・・・蓋体              １３・・・給湯口
１４・・・電動ポンプ        １５・・・外ケース
１６・・・内容器            １７・・・肩部材
１８・・・底板              ２０・・・上板
２１・・・下板              ２２・・・ヒンジ受け
２３・・・蒸気排出口        ２４・・・蒸気口
２５・・・蒸気排出通路      ２６・・・転倒止水弁
３０・・・凹部              ３１・・・センサーリング
３２・・・温度センサー      ３３・・・遮熱部材
３４・・・板ばね            ３５・・・加熱手段
３６・・・第１鋼板          ３６ａ・・・切り起こし片
３６ｂ・・・折曲部          ３７・・・第１絶縁板
３８・・・加熱板            ３９・・・第２絶縁板
３９ａ・・・延出部          ４０・・・アルミ板
４０ａ・・・Ｌ字部          ４１・・・第２鋼板
４１ａ・・・受部            ４２・・・断熱空間
【図１】
0005245403.tif 000002
【図２】
0005245403.tif 000003
【図３】
0005245403.tif 000004
【図４】
0005245403.tif 000005